(57)【特許請求の範囲】
【請求項１】
底座と、支柱と、シートとを含むウエストツイスター健康器具であって、底座の上方には平面台が形成され、平面台中央に軸穴が設けられ、
前記支柱には直立状の本体があり、該本体には第一辺と第二辺があり、本体内部に第一辺に近い所で第一軸棒を結合させ、第二辺に近い所で第二軸棒を結合させ、第一軸棒は本体底面から下へ突き出して第一挿し込み部を形成し、第二軸棒は本体頂面から上へ突き出して第二挿し込み部を形成し、本体底面に第二辺に近い所でローラーを枢接させ、
前記シートには底カバーがあり、底カバー下方の中央には軸穴が設けられ、
上述の構造によって、前記支柱は、前記第一挿し込み部を底座の平面台の軸穴に挿し込むことによって、前記底座と枢接され、さらに、前記シートは、前記第二挿し込み部をシートの底カバーの軸穴に挿し込むことによって、前記支柱と枢接され、
前記ローラーが底座の平面台に接され、ローラーの回転により、支柱の本体が底座の平面台中央の軸穴を円心とし、底座上方の平面台で回転し、
支柱の高さを利用して、シートの設置位置は、使用者が座った後、膝を曲げることも足を組むこともなく両足が完全に地面に着く位置であることを特徴とするウエストツイスター健康器具。
【請求項２】
前記底座の平面台とシートの底カバーの軸穴の中にそれぞれ軸受を組み合わせることで、第一挿し込み部と第二挿し込み部が軸受を利用して、底座の平面台とシートの底カバーとの軸穴とを枢接させることを特徴とする請求項１のウエストツイスター健康器具。
【請求項３】
前記第一挿し込み部と第二挿し込み部は円錐台状であり、前記軸受は前記第一挿し込み部と第二挿し込み部に対応する形状であることを特徴とする請求項２のウエストツイスター健康器具。
【請求項４】
前記支柱の第一辺に挿し込み穴が設けられ、第一辺の下方に突起部が形成され、突起部の上に位置限定穴を貫通させ、底座の平面台の上に固定穴が設けられ、楔を同時に位置限定穴と固定穴とに差し込むことによって、支柱を底座の平面台の上に固定し、楔を挿し込み穴に差し込むことによって支柱が底座の平面台の上で回転することを特徴とする請求項１のウエストツイスター健康器具。
【請求項５】
前記支柱の本体は二つのカバー体が向かい合わせで構成されることを特徴とする請求項１のウエストツイスター健康器具。
【請求項６】
シートは、直接に底カバーに使用者が座ることを特徴とする請求項１のウエストツイスター健康器具。
【請求項７】
シートの底カバーの上にソフトシートが結合されることを特徴とする請求項１のウエストツイスター健康器具。
【請求項８】
シートの底カバーの上にソフトシートが結合され、ソフトシートと底カバーの外部にシートカバーが包まれ、該シートカバーは布製または革製であることを特徴とする請求項１のウエストツイスター健康器具。
【発明の詳細な説明】
【技術分野】
【０００１】
本発明はウエストツイスター健康器具に関し、特に健康増進できるウエストツイスター健康器具に関する。
【背景技術】
【０００２】
従来のウエスト健康器具の多くは図１８に示されるように、該ウエスト健康器具には主に底座があり、底座の上に回転盤を枢接し、地面とほぼ同じの全体の高さを利用して使用者が座ることができるように提供し、その上でひねることで使用者にとってウエストと腹部の運動になる。
しかし、上述のような従来構造は実際使用時に以下の問題点が存在する。（一）操作する際に使用者はまずしゃがまなければならず、両足が縮まった状態で回転盤に座る形になるため、その姿勢は人間工学にそぐわなく、快適ではない。（二）両足が縮まった運動状態は人体下半身の正常な力の入れ方を妨害し、体を十分に伸ばせないため、長期にわたる場合はスポーツ障害にもたらしやすく、健康増進の効果があまり得られない。
また、従来のもう一種類のウエスト健康器具の多くは図１９に示されるように、該ウエスト健康器具には主に底座があり、底座の下方は四つの短棒によって支えられ、上方中央にはカーブしたアームが伸びることによってシートが枢接される。シートは使用者が座ることができるように提供し、その上でひねることで使用者にとってウエストと腹部の運動になる。
しかし、上述のようなもう一種類の従来構造は実際使用時に以下の問題点が存在する。（一）底座にある短棒によって支えられるが、座る際に両足が縮まないといけない問題は変わらない。（二）カーブしたアームは遮られることなく露出したままのため、カーブしたアームにはほこりがたまりやすく、さらに異物が入ることによってカーブしたアームが動けなくなる恐れがある。（三）シートは宙ぶらりんで底座の中心より離れているため、使用者が座った際に全身の体重がシート及びシートと枢接されるカーブしたアームの一端に集中し、カーブしたアームの反対端は底座を斜め上に向かって押し上げることで、底座と比較的に大きな摩擦力を生じさせるため、カーブしたアームがスムーズに回転できない。
上述の二種類の従来ウエスト健康器具における使用上の欠点を直すべく、本発明者は椅子のツイスター構造を開発し、その構造形態は図２０に示されるように、または本国特許第２０１５０５５８６号に掲載されるように、該ツイスター構造には主に脚があり、脚の上方にカーブした軸の枢接によってツイスター盤を結合させ、ツイスター盤の上方には椅子を固定して設けさせることで、座ることができる、健康増進効果を兼ねた椅子ツイスター構造である。
ただし、本発明者は本発明を開発した後も満足することなく、より良いものを追求する精神で思案して研究し、この構造の特徴をより著しく使いやすいようにすることを望んだ。本発明者はその後の開発過程で上述の構造において以下の問題点が存在することに気付いた。（一）カーブした軸は遮られることなく、直接に露出するため、カーブした軸にはほこりがたまりやすく、さらに異物が入ることでカーブした軸が動けなくなる恐れがある。（二）椅子の手すりの増設によって、使用者が運動する途中に掴むことを提供できるが、手が握ることでウエストと腹部にかける力が分散され、使用者がウエストと腹部を重点的に鍛えることができず、掴む姿勢が正しくない場合、またはウォーミングアップをちゃんとできないと、腕を怪我する恐れがあるため、改良が必要である。（三）脚、カーブした軸、ツイスター盤と椅子の組み合わせにより、体積が大きく、構造が複雑な問題が残り、製造コストが上がり、組み立ても難しい。
従って、上述三種類の従来構造に存在する欠点について研究改良することが関係業界が努力して開発すべき目標である。本発明者は長年の経験に基づき、緻密に設計し、多方面に検討して試作品を作成し、さらに多数回の修正改良によって本発明を得た。
【発明の開示】
【発明が解決しようとする課題】
【０００３】
従来のウエスト健康器具は使用時に地面に近づいて座るため、またカーブしたアームまたはカーブした軸にはほこりがたまりやすく、これらの技術問題点を解決するウエストツイスター健康器具を提供する。
【課題を解決するための手段】
【０００４】
本発明のウエストツイスター健康器具は底座、支柱とシートを含み、底座の上方にはローラーの移動を提供する平面台が設けられ、平面台中央に軸穴が設けられる。支柱には直立状の本体があり、該本体には第一辺と第二辺がある。本体内部に第一辺に近い所で第一軸棒を結合させ、第二辺に近い所で第二軸棒を結合させる。また第一軸棒は第一挿し込み部を利用して本体底面を下へ突き出し、第二軸棒は第二挿し込み部を利用して本体頂面を上へ突き出す。本体底面に第二辺に近い所でローラーを枢接させ、シートには底カバーがあり、底カバー下方の中央には軸穴が設けられる。これによって、ウエストツイスター健康器具が構成される。
（一）本発明のウエストツイスター健康器具はシートの設置位置が一般成人の膝の平均の位置よりやや高いため、使用者が座った後、膝を曲げることも足を組むこともなく座ることができるので、快適であり、人間工学に基づく。
（二）本発明のウエストツイスター健康器具はシートの設置位置が一般成人の膝の平均の位置よりやや高いため、使用者が座った後、膝を曲げることも足を組むこともなく座ることができるので、両足を完全に地面に着けることができ、力が入れられるため、スポーツ障害が避けられ、健康増進の効果が著しくなる。
（三）本発明のウエストツイスター健康器具は第一軸棒と第二軸棒は完全に支柱、底座とシートの中に隠されるため、第一軸棒と第二軸棒にほこりがたまることが避けられ、また異物が入ることで第一軸棒と第二軸棒が動けなくなることが防げられる。
（四）本発明のウエストツイスター健康器具は使用時、両足が確実に地面に着くことができて力が入れられるため、手すりを増設する必要がなく、全体構造の複雑度が有効に下げられ、ウエストと腹部が運動する際にかける力が手すりによって分散されることまたは腕を怪我することが避けられる。
（五）本発明のウエストツイスター健康器具はシートが宙ぶらりんに設置されるのではなく、本体がローラーを経由して使用者の体重を支えるため、ひねる運動をする際に第一軸棒が底座を斜め上に向かって押し上げることが避けられ、支柱がよりスムーズに回転できる。
（六）本発明のウエストツイスター健康器具は底座、支柱とシート三者の枢接によって、簡単な構造であり、コンパクトであり、組み立てやすく、コストが低いなどの利点がある。
（七）本発明のウエストツイスター健康器具は楔を挿し込んで固定することによって、該ウエストツイスター健康器具は一般の椅子として使用できる。
【図面の簡単な説明】
【０００５】
【図１】図１は、本発明に係るウエストツイスター健康器具を示す立体組み立て図である。
【図２】図２は、本発明に係るウエストツイスター健康器具を示す立体分解図である。
【図３】図３は、本発明に係るウエストツイスター健康器具を示す細部分解図である。
【図４】図４は、本発明に係るウエストツイスター健康器具に使用者が座った後の状態図である。
【図５】図５は、本発明の支柱が楔によって固定される断面図である。
【図６】図６は、本発明の楔が挿し込み穴の中に挿し込まれた状態図である。
【図７】図７は、本発明に係るウエストツイスター健康器具を示す作動状態図である。
【図８】図８は、本発明の使用状態の立体図一である。
【図９】図９は、本発明の使用状態の俯瞰図一である。
【図１０】図１０は、本発明の使用状態の立体図二である。
【図１１】図１１は、本発明の使用状態の俯瞰図二である。
【図１２】図１２は、本発明の使用状態の立体図三である。
【図１３】図１３は、本発明の使用状態の俯瞰図三である。
【図１４】図１４は、本発明の使用状態の立体図四である。
【図１５】図１５は、本発明の使用状態の俯瞰図四である。
【図１６】図１６は、本発明の使用状態の立体図五である。
【図１７】図１７は、本発明の使用状態の俯瞰図五である。
【図１８】図１８は、従来の構造図である。
【図１９】図１９は、もう一つの従来の構造図である。
【図２０】図２０は、もう一つ別の従来の構造図である。
【発明を実施するための形態】
【０００６】
まず、図１から図３に示されるように、ウエストツイスター健康器具は、底座１０と、支柱２０とシート３０を含む。底座１０の上方にはローラー２６の移動を提供する平面台１１が設けられ、平面台１１中央に軸穴１２が設けられる。支柱２０には直立状の本体２１があり、該本体２１には第一辺２２と第二辺２３がある。本体２１内部に第一辺２２に近い所で第一軸棒２４を結合させ、第二辺２３に近い所で第二軸棒２５を結合させる。また第一軸棒２４は第一挿し込み部２４１を利用して本体２１底面から下へ突き出し、第二軸棒２５は第二挿し込み部２５１を利用して本体２１頂面から上へ突き出す。本体２１底面に第二辺２３に近い所でローラー２６を枢接させ、シート３０には底カバー３１があり、底カバー３１下方の中央には軸穴３２が設けられる。
構造の組み立てについては図１を参照されたい。支柱２０は伸びた第一挿し込み部２４１を利用して底座１０の軸穴１２に挿し込まれ、第二挿し込み部２５１はシート３０の軸穴３２に挿し込まれることによって、底座１０、支柱２０とシート３０の三者がお互いに枢接され、ローラー２６が底座１０の平面台１１に接され、支柱２０の高さを利用して、シート３０の設置位置は一般成人の膝の平均位置より若干高く、これで組み立てが完了される。
本発明のウエストツイスター健康器具は、底座１０とシート３０の軸穴１２・３２の中にそれぞれ軸受４０を組み合わせることで、第一挿し込み部２４１と第二挿し込み部２５１が軸受４０を利用して、底座１０とシート３０の軸穴１２・３２とが枢接され、また該第一挿し込み部２４１と第二挿し込み部２５１は軸受４０と円錐状に組み合わされる。
本発明のウエストツイスター健康器具は、支柱２０の第一辺２２に挿し込み穴２７が設けられ、第一辺２２の下方に突起部２８が形成され、突起部２８の上に位置限定穴２８１を貫通させる。底座１０の平面台１１の上に固定穴１３が設けられ、挿し込み穴２７、位置限定穴２８１と固定穴１３の設置は楔５０と合わせて使用される。一般な状態で楔５０を同時に位置限定穴２８１と固定穴１３の中に挿し込んで固定させるため（同時に図４と図５を参照されたい）、支柱２０が底座１０の上で固定されることで、座った際に支柱２０が勝手に動いてしまって、危険になることが避けられる。回転運動する際、楔５０を引き抜いて、楔５０を挿し込み穴２７に挿し込むことによって（同時に図６と図７を参照されたい）、楔５０を紛失することが避けられる。
本発明のウエストツイスター健康器具は、支柱２０の本体２１は二つのカバー体２１１が向かい合わせて構成される。
本発明のウエストツイスター健康器具において、シート３０は、直接に底カバー３１に使用者が座る。
本発明のウエストツイスター健康器具は、シート３０の底カバー３１の上にソフトシート３３が結合され、使用者が該ソフトシート３３に座るために運動する際の快適さが高められる。
本発明のウエストツイスター健康器具は、シート３０の底カバー３１の上にソフトシート３３が結合され、ソフトシート３３と底カバー３１の外部にシートカバー３４が包まれ、該シートカバー３４は布製か革製である。
実際に使用する際、使用者がシート３０に座り、ローラー２６と底座１０の平面台１１の接触により、第一軸棒２４から離れた偏心位置（即ちシート３０の下方）にローラー２６が底座１０によって使用者の体重が支えられる。またシート３０の設置位置は一般成人の膝の平均位置よりやや高いため、使用者が座った後、膝を曲げることも足を組むこともなく座ることができるので、快適に座ることができ、また両足を完全に地面に着けることができる（同時に図４を参照されたい）。使用者がちゃんと座った後、楔５０を引き抜いて、楔５０を支柱２０の挿し込み穴２７に挿し込む（同時に図６を参照されたい）。また運動過程においては両足が地面に着いて力が入れられるため、下半身とウエストと腹部に有効的に出力でき、シート３０のひねりをスムーズに連帯でき、ひねる時に支柱２０の本体２１は底座１０中央の軸穴１２を円心とし、ローラー２６の移動により、底座１０上方の平面台１１でサイクルし、支柱２０とシート３０の間は第二軸棒２５によって枢接される設計となり、シート３０が支柱２０の上で自転できる（同時に図７から図１７を参照されたい）。ローラー２６と合わせて偏心位置において使用者の体重を支えることで、シート３０がひねる時に生じた斜向推力が有効的に減少でき、ひねりの動作が簡単に完成できる。またシート３０が第二軸棒２５での回転を利用して、シート３０はサイクルする過程で同じ方向に向き、上述動作によって使用者がウエストとヒップのツイスター運動となり、健康増進の目的に達する。
上述のウエストツイスター健康器具は以下の優れた点がある。（一）シート３０の設置位置が一般成人の膝の平均の位置よりやや高いため、使用者が座った後、膝を曲げることも足を組むこともなく座ることができるので、快適であり、人間工学に基づく。（二）シート３０の設置位置が一般成人の膝の平均の位置よりやや高いため、使用者が座った後、膝を曲げることも足を組むこともなく座ることができるので、両足が完全に地面に着くことができ、力が入れられるため、スポーツ障害が避けられ、健康増進の効果が著しくなる。（三）第一軸棒２４と第二軸棒２５は完全に支柱２０、底座１０とシート３０の中に隠されるため、第一軸棒２４と第二軸棒２５にほこりがたまることが避けられ、また異物が入ることで第一軸棒２４と第二軸棒２５が動けなくなることが防げられる。（四）使用時、両足が確実に地面に着くことができて力が入れられるため、手すりを増設する必要がなく、全体構造の複雑度が有効に下げられ、ウエストと腹部が運動する際にかける力が手すりによって分散されることまたは腕が怪我されることが避けられる。（五）シート３０は宙ぶらりんに設置されるではなく、本体２１がローラー２６を経由して使用者の体重を支えるため、ひねる運動をする際に第一軸棒２４が底座１０を斜め上に向かって押し上げることが避けられ、支柱２０がよりスムーズに回転できる。（六）底座１０、支柱２０とシート３０三者の枢接によって、簡単な構造であり、コンパクトであり、組み立てやすく、コストが低いなどの利点がある。（七）楔５０を挿し込んで固定することによって、該ウエストツイスター健康器具は一般の椅子として使用できる。
以上は、本発明に係る実施例の一部に過ぎないため、本発明の実施範囲を制限するものではない。即ち、本発明の特許請求の範囲内で行われる変化、修飾なども本発明の範囲に属すべきである。
【符号の説明】
【０００７】
１０        底座
１１        平面台
１２        軸穴
１３        固定穴
２０        支柱
２１        本体
２１１      カバー
２２        第一辺
２３        第二辺
２４        第一軸棒
２４１      第一挿し込み部
２５        第二軸棒
２５１      第二挿し込み部
２６        ローラー
２７        挿し込み穴
２８        突起部
２８１      位置限定穴
３０        シート
３１        底カバー
３２        軸穴
３３        ソフトシート
３４        シートカバー
４０        軸受
５０        楔
６０        ウエスト健康器具
６１        底座
６２        回転盤
７０        ウエスト健康器具
７１        底座
７１１      短棒
７２        カーブしたアーム
７３        シート
８０        ツイスター構造
８１        脚
８２        カーブした軸
８３        ツイスター盤
８４        椅子
８４１      手すり
【図１】
0006342466.tif 000002
【図２】
0006342466.tif 000003
【図３】
0006342466.tif 000004
【図４】
0006342466.tif 000005
【図５】
0006342466.tif 000006
【図６】
0006342466.tif 000007
【図７】
0006342466.tif 000008
【図８】
0006342466.tif 000009
【図９】
0006342466.tif 000010
【図１０】
0006342466.tif 000011
【図１１】
0006342466.tif 000012
【図１２】
0006342466.tif 000013
【図１３】
0006342466.tif 000014
【図１４】
0006342466.tif 000015
【図１５】
0006342466.tif 000016
【図１６】
0006342466.tif 000017
【図１７】
0006342466.tif 000018
【図１８】
0006342466.tif 000019
【図１９】
0006342466.tif 000020
【図２０】
0006342466.tif 000021